(57)【特許請求の範囲】
【請求項１】
内部に通気層（ａ１，ａ２）を有するセメント板（Ｐａ，Ｐａ´）と断熱層（Ｐｂ）とを層着した断熱複合パネル（Ｐ，Ｐ０）、を備えたコンクリート造建物外壁（Ｗ）の最下端の該パネル（Ｐ，Ｐ０）のセメント板（Ｐａ，Ｐａ´）の下端面に、アングル形態の取付部材（１０，１１）の水平上片（１０Ｕ，１１Ｕ）を止着し、立上り板（２Ｂ，２´Ｂ）、傾斜天板（２Ｕ，２´Ｕ）、立下り板（２Ｆ，２´Ｆ）、及び空気孔（Ｈ２）を備えた底板（２Ｄ，２´Ｄ）を有する腰水切（２，２´）を、立上り板（２Ｂ，２´Ｂ）を取付部材（１０，１１）の垂直片（１０Ｂ，１１Ｂ）に取付け、底板（２Ｄ，２´Ｄ）の後端を取付部材（１０）の垂直片（１０Ｂ）下端に取付けて２点支持で配設し、腰水切底板（２Ｄ，２´Ｄ）の空気孔（Ｈ２）からの空気流（ｆ）を、断熱複合パネル（Ｐ，Ｐ０）の通気層（ａ１，ａ２）を貫通して外壁（Ｗ）の上端から放出する、外断熱建築物に於ける外壁下部の通気構造。
【請求項２】
外壁（Ｗ）面が小段差（ＤＷ）を有し、該段差（ＤＷ）部では、断熱複合パネル（Ｐ，Ｐ０）の下端面に配置した段差継手（６）に、両側から腰水切（２，２´）の端部を嵌入配置した、請求項１の外壁下部の通気構造。
【請求項３】
外壁（Ｗ）が、断熱複合パネル（Ｐ，Ｐ０）とコンクリート壁（ＷＣ）との一体化した耐力壁（Ｗ０）部と、断熱複合パネル（Ｐ）のみの帳壁（Ｗ１）部から構成されている、請求項１又は２の外壁下部の通気構造。
【請求項４】
耐力壁（Ｗ０）部は、内面に条溝（ａ２）を有するセメント板（Ｐａ´）と断熱層（Ｐｂ）とを層着した耐力壁複合パネル（Ｐ０）をコンクリート壁（ＷＣ）と一体化形成し、帳壁（Ｗ１）部は、内部に貫通孔（ａ１）を有するセメント板（Ｐａ）と断熱層（Ｐｂ）とを層着し、アングル鋼材の上枠（１０ｔ）及び下枠（１０ｂ）を備えた帳壁複合パネル（Ｐ）のみで形成した、請求項３の外壁下部の通気構造。
【請求項５】
帳壁複合パネル（Ｐ）のセメント板厚（Ｔ１）は耐力壁複合パネル（Ｐ０）のセメント板厚（Ｔ１´）より大であり、帳壁複合パネル（Ｐ）と耐力壁複合パネル（Ｐ０）とは断熱層厚（Ｔ２）が同一であり、且つ、両複合パネル（Ｐ，Ｐ０）の断熱層（Ｐｂ）を面一形態に配置した、請求項４の外壁下部の通気構造。
【請求項６】
耐力壁（Ｗ０）部及び帳壁（Ｗ１）部に亘って、腰水切（２，２´）の突出長（ｄ３）が同一であり、立下り板（２Ｆ，２´Ｆ）の高さ（ｈ１）が同一である、請求項３乃至５のいずれか１項の外壁下部の通気構造。
【請求項７】
耐力壁複合パネル（Ｐ０）の下端では、アングル形態の取付板（１０）の水平上片（１０Ｕ）をセメント板（Ｐａ´）先端に止着し、取付板（１０）の垂直片（１０Ｂ）の上部には腰水切の立上り板（２Ｂ）を止着し、垂直片（１０Ｂ）の下部には腰水切の底板（２Ｄ）の後端を係止し、帳壁パネル（Ｐ）の下端では、セメント板（Ｐａ）の、前面板状部（Ｃ１）にアングル形態の取付片（１１）を止着し、仕切部（Ｃ４）と引続く後面板状部（Ｃ２）に亘ってアングル形態の取付板（１０）の水平上片（１０Ｕ）を止着し、腰水切の立上り板（２´Ｂ）を取付片（１１）の垂直片（１１Ｂ）に、底板（２´Ｄ）の後端を取付板（１０）の垂直片（１０Ｂ）の下部に係止した、請求項６の外壁下部の通気構造。
【請求項８】
取付板（１０）は、水平上片（１０Ｕ）の長孔（Ｈ１０）を介して複合パネル（Ｐ，Ｐ０）のセメント板（Ｐａ，Ｐａ´）下端にネジ固定すると共に、垂直片（１０Ｂ）後面下部を基礎モルタル（１ａ）上の取付下地材（１ｆ）に固定した請求項７の外壁下部の通気構造。
【請求項９】
段差継手（６）が、平面視段差形態に、突出側（ＳＲ）傾斜片（６Ｕ）、入り込み側（ＳＬ）傾斜片（６Ｕ”）及び継ぎ部傾斜片（６Ｕ´）から成る連設傾斜片と、前部立下り片（６Ｆ）と段差小口閉塞用の側部立下り片（６Ｆ´）とを備え、外壁Ｗの突出側（ＳＲ）からは、腰水切（２´）の傾斜天板（２´Ｕ）を傾斜片（６Ｕ）の下面に、立下り板（２´Ｆ）を前部立下り片（６Ｆ）の内面に挿入し、入り込み側（ＳＬ）からは、腰水切（２）の傾斜天板（２Ｕ）を傾斜片（６Ｕ”）の下面に、立下り板（２Ｆ）を側部立下り片（６Ｆ´）の後端縁（ＶＥ）の内側に挿入する請求項２乃至８のいずれか１項の外壁下部の通気構造。
【請求項１０】
腰水切（２）と、取付板（１０）とを含み、腰水切（２）は、垂直の立上り板（２Ｂ）と、立上り板下端から前方への傾斜天板（２Ｕ）と、前端の垂直の立下り板（２Ｆ）と、立下り板（２Ｆ）の下部から後方へ、略立上り板（２Ｂ）の下方位置まで延出した底板（２Ｄ）とを備え、且つ、底板（２Ｄ）後端には起立するアンカー片（２Ａ）を有すると共に、底板（２Ｄ）の適所に空気孔（Ｈ２）を穿孔したものであり、取付板（１０）は、アングル形態であって、取付孔（Ｈ１０）を備えた水平上片（１０Ｕ）と垂直片（１０Ｂ）とから成り、垂直片（１０Ｂ）の下端には前方への突片（１０Ｄ）を、突片（１０Ｄ）の上部には前方へ屈曲突出する溝突片（１０Ｆ）を備え、突片（１０Ｄ）と溝突片（１０Ｆ）とで腰水切（２）のアンカー片（２Ａ）を係止する係合溝（１０Ｇ）を有するものである、腰水切金具。
【請求項１１】
腰水切（２´）と、取付板（１０）と、取付片（１１）とを含み、腰水切（２´）は、垂直の立上り板（２´Ｂ）と、立上り板下端から前方への傾斜天板（２´Ｕ）と、前端の垂直の立下り板（２´Ｆ）と、立下り板（２´Ｆ）の下部から後方へ、立上り板（２´Ｂ）の下方位置を越えて後方に延出する底板（２´Ｄ）とを備え、且つ、底板（２´Ｄ）後端には起立するアンカー片（２´Ａ）を有すると共に、底板（２´Ｄ）の適所に空気孔（Ｈ２）を穿孔したものであり、取付板（１０）は、アングル形態であって、取付孔（Ｈ１０）を備えた水平上片（１０Ｕ）と垂直片（１０Ｂ）とから成り、垂直片（１０Ｂ）の下端には前方への突片（１０Ｄ）を、突片（１０Ｄ）の上部には、前方へ屈曲突出する溝突片（１０Ｆ）を備えて突片（１０Ｄ）と溝突片（１０Ｆ）とで腰水切（２´）のアンカー片（２´Ａ）を係止する係合溝（１０Ｇ）を有するものであり、取付片（１１）は、アングル形態であって、取付孔（Ｈ１１）を備えた水平上片（１１Ｕ）と垂直片（１１Ｂ）とを有するものである、腰水切金具。
【発明の詳細な説明】
【０００１】
【発明の属する技術分野】
本発明は、鉄筋コンクリート造や鉄骨コンクリート造の外断熱建築物に於いて外壁に通気層を形成するものであり、より詳しくは、乾式密着型でありながら通気層を内在する新規な断熱複合パネルを用いた外壁に、通気層を確保するための新規な腰水切手段を適用した、外壁の下部の通気構造に関するものであり、建築の技術分野に属するものである。
【０００２】
【従来の技術】
〔従来例１〕
鉄筋コンクリート造や鉄骨コンクリート造の建築物にあっては、近年、省エネルギー面、及び耐久性面から有利な外断熱建築物が提案され、内断熱タイプよりコスト高である阻害要因はあるものの、これら建築物施工量の１０％前後まで外断熱タイプが占めるようになってきた。
また、これら外断熱タイプにあって、外壁に通気層を形成し、結露を防止して住環境を向上させ、同時に外装材のヒートストレスによる劣化を抑制した建築物も提案、実施されている。
そして、鉄筋コンクリート造や鉄骨コンクリート造の外断熱建築物にあっては、コンクリート外壁を断熱層で均斉に被覆するため、外壁面は面一であり、通気層のない建築物では、腰水切は採用しないが、通気層を形成するタイプにあっては、外壁下端に腰水切を採用して通気を保証している。
【０００３】
図７は、従来の鉄筋コンクリート造外断熱通気層型建築物の典型例を示すものである。
即ち、基礎部にあっては、コンクリート基礎の外周を、石綿スレート等の外装材と断熱層とを層着した複合パネルで被覆して基礎外周に断熱被覆を形成し、外壁部にあっては、コンクリート壁の外周を断熱層で被覆し、断面コ字状の固定金物を適宜間隔にコンクリート基礎にネジ固定し、腰水切の後端の立上り板及び腰水切の底板後端の垂直片を固定金物にネジ固定し、外壁の断熱層の外側に通気層を介在して配置した外装材（アルミパネル）の下端と腰水切の傾斜板上面との通気空隙から空気流ｆを通気層へ導入する構造である。
【０００４】
〔従来例２〕
木造建築物にあっては、省エネルギー面、耐久面から外断熱、且つ通気層を形成するタイプが提案され、普及している。
また、木造建築物にあっては、外壁面に１ｍ前後の段差を形成する場合もある。
図８は、従来の外断熱通気層型木造建築物の典型例であり、（Ａ）は外壁下端の説明側面図であり、（Ｂ）は外壁段差部での腰水切配置形態の説明平面図である。
即ち、図８（Ａ）に示す如く、外壁の断熱材の外面には縦胴縁を介在して外装材を縦胴縁に固定し、縦胴縁間に通気層を形成している。
そして、腰水切は、立上り板を縦胴縁に固定し、底板後端の支持片を基礎の外面のモルタル層上端に載置している。
また、外壁の段差には、図８（Ｂ）の如く、出隅部及び入隅部では、傾斜片と傾斜片下面から挿入間隙を有して突出するガイド片を有する出隅継手（Ｌ１０：５５mm）と、入隅継手（Ｌ２０：４０mm）と、両継手間の腰水切とを用いて腰水切を連結している。
【０００５】
【発明が解決しようとする課題】
従来例１にあっては、腰水切は、コンクリート基礎に取付けた固定金物に止着するため、腰水切の外方への突出形態はコンクリート基礎を基準としており、従って外壁面に構造上、又は意匠上等から若干段差を生じても、腰水切突出端は外壁面に追従出来ない。
即ち、鉄筋コンクリート造や鉄骨コンクリート造の外断熱で外壁内に通気層を備えた建物にあっては、腰水切は面一の平坦な外壁にしか対応出来ない。
また、腰水切の天端板である傾斜板の上面に通気空隙を形成するため、通気空隙からの雨水が風と共に傾斜板の上面で案内されて外壁の通気層内に入り込む。
更に、腰水切止着用の固定金物の配置位置では、外壁の断熱層に取付作業に伴う欠損を生ずる。
【０００６】
また、従来例２にあっては、腰水切は、立上り板を縦胴縁に打付けるため、通気層内に縦胴縁が必要であると共に、底板後端の支持片は、腰水切立上り板を縦胴縁に取付けた状態の下で基礎モルタルを支持片下面まで塗布し、固化モルタル上に載置の形態であるため、底板が強風に煽られれば上下動し、腰水切の姿勢に変形を生ずる恐れがある。
また、図８（Ｂ）に示す如く、外壁の段差に対応して腰水切を出隅継手及び入隅継手を用いて配置する手段は慣用されているが、木造建物での外壁段差は、出隅継手と入隅継手間に、段差長に対応する腰水切が配置出来る程度に大であり、出隅継手の寸法Ｌ１０の標準は５５mmで、入隅継手の寸法Ｌ２０の標準は４０mmである。
【０００７】
従って、該標準の出隅継手と入隅継手で腰水切を接続出来る段差は、両継手間に介在させる継ぎ片を短片としても約８０mm以上であり、腰水切を３０〜４０mm程度の小段差できれいに継ぐことは不可能である。
本発明は、上述の如き外壁下部の通気構造の問題点を解決、又は改善するものであり、鉄筋コンクリート造又は鉄骨コンクリート造建物に乾式密着型断熱複合パネルを適用した新規な外断熱通気層型外壁の下部に、新規な腰水切配置手段を適用し、且つ、外壁面の小段差にも対応して腰水切をきれいに接続可能とし、腰水切を強固に配設出来るようにするものである。
【０００８】
【課題を解決するための手段及び作用】
本発明は、内部に通気層ａ１，ａ２を有するセメント板Ｐａ，Ｐａ´と断熱層Ｐｂとを層着した断熱複合パネルＰ，Ｐ０、を備えたコンクリート造建物外壁Ｗの最下端の該パネルＰ，Ｐ０のセメント板Ｐａ，Ｐａ´の下端面に、アングル形態の取付部材１０，１１の水平上片１０Ｕ，１１Ｕを止着し、立上り板２Ｂ，２´Ｂ、傾斜天板２Ｕ，２´Ｕ、立下り板２Ｆ，２´Ｆ、及び空気孔Ｈ２を備えた底板２Ｄ，２´Ｄを有する腰水切２，２´を、立上り板２Ｂ，２´Ｂを取付部材１０，１１の垂直片１０Ｂ，１１Ｂに取付け、底板２Ｄ，２´Ｄの後端を取付部材１０の垂直片１０Ｂ下端に取付けて２点支持で配設し、腰水切底板２Ｄ，２´Ｄの空気孔Ｈ２からの空気流ｆを、断熱複合パネルＰ，Ｐ０の通気層ａ１，ａ２を貫通して外壁Ｗの上端から放出する、外断熱建築物に於ける外壁下部の通気構造である。
【０００９】
尚、アングル形態の取付部材１０，１１は、セメント板Ｐａ，Ｐａ´の下端面にネジ止め等で強固に固定出来、且つ，腰水切の立上り板２Ｂ，２´Ｂをネジ止め等で強固に保持し、同時に腰水切底板２Ｄ，２´Ｄを確保出来れば良く、従って、腰水切として幅寸法の異なる２種類を用いる際には、図４に示す如く、細幅腰水切２には取付板１０のみで、広幅腰水切２´には、取付板１０と別体の取付片１１との併用で対応させても良く、また、取付板１０は、細幅腰水切対応物（図４（Ｅ））と、広幅腰水切対応物（図４（Ｅ）の取付板１０の水平上片１０Ｕを延出した物）の２種を用意して対応させても良い。
また、外壁Ｗの断熱複合パネルとしては、図２に示すパネル厚Ｔ０の大な断熱複合パネルＰのみを採用しても、パネル厚Ｔ０´の小なパネルＰ０のみを採用しても、厚手のパネルＰと薄手のパネルＰ０を併用しても良い。
【００１０】
本発明の外壁下部の通気構造にあっては、腰水切２，２´は、立上り板２Ｂ，２´Ｂと底板２Ｄ，２´Ｄの２点で確保出来、腰水切の強固、且つ、精度の高い配置が可能となる。
また、腰水切２，２´を確保する取付部材１０，１１は、複合パネルＰ，Ｐ０のセメント板Ｐａ，Ｐａ´の下面に止着するため、前後位置調整が可能となり、腰水切立上り板２Ｂ，２´Ｂの取付部材１０，１１への止着は上下位置調整可能となるため、腰水切２，２´は、前後、上下位置調整の下に配置出来る。
この場合、立上り板２Ｂ，２´Ｂは、図６（Ｂ）、（Ｃ）の如く、垂直片１０Ｂ，１１Ｂに当接してネジ又はスポット溶接固定となるが、立上り板２Ｂ，２´Ｂの固定時の上下位置調整は自在であり、且つ取付部材１０，１１の水平上片１０Ｕ，１１Ｕもセメント板下面に当接して前後位置調整の下にネジ固定可能であるため、腰水切２，２´が、所定位置で均斉、且つ強固に保持出来る。
従って、鉄筋又は鉄骨コンクリート造建物の外壁でありながら、強固、且つ均斉配置の腰水切を備え、腰水切から外壁内を上方へと空気流ｆの貫流する、しかも、腰水切の傾斜天板上からも、底板下面からも外壁内に雨水の浸入しない通気構造が得られる。
【００１１】
また、外壁Ｗ面が小段差ＤＷを有し、該段差ＤＷ部では、断熱複合パネルＰ，Ｐ０の下端面に配置した段差継手６に、両側から腰水切２，２´の端部を嵌入配置するのが好ましい。
この場合、外壁は１種類の、例えば厚手の断熱複合パネルＰのみで意匠上の見地から小段差配置することも、厚手のパネルＰと薄手のパネルＰ０との混用で小段差配置することも可能である。
そして、断熱複合パネルＰ，Ｐ０の接続部に小段差ＤＷが生じても、段差継手によって腰水切の傾斜天板２Ｕ，２´Ｕの外壁面からの突出寸法は均斉に、且つ、美観上も機能上も支障を生じないように配置出来る。
【００１２】
また、外壁Ｗが、断熱複合パネルＰ，Ｐ０とコンクリート壁ＷＣとの一体化した耐力壁Ｗ０部と、断熱複合パネルＰのみの帳壁Ｗ１部から構成するのが特に好ましい。
この場合、帳壁Ｗ１部の断熱複合パネルＰは、外壁としての強度が必要であるため、セメント板Ｐａは厚手のパネルＰを採用することとなるが、耐力壁Ｗ０部の断熱複合パネルは、コンクリート壁ＷＣと一体化するため、パネル自体は外壁としての強度は必要なく、通気層ａ２と断熱層Ｐｂを備え、セメント板Ｐａ´は薄手とした安価な断熱複合パネルＰ０を採用するのが有利である。
そして、帳壁Ｗ１部では、帳壁複合パネルＰのみでありコンクリート壁ＷＣが存在しないため、帳壁部ではコンクリート壁型枠施工が省略出来、外壁Ｗの形成の大幅なコストダウンが可能となる。
【００１３】
また、耐力壁Ｗ０部は、内面に条溝ａ２を有するセメント板Ｐａ´と断熱層Ｐｂとを層着した耐力壁複合パネルＰ０をコンクリート壁ＷＣと一体化形成し、帳壁Ｗ１部は、内部に貫通孔ａ１を有するセメント板Ｐａと断熱層Ｐｂとを層着し、アングル鋼材の上枠１０ｔ及び下枠１０ｂを備えた帳壁複合パネルＰのみで形成するのが好ましい。
この場合、耐力壁Ｗ０部と帳壁Ｗ１部とは、外壁Ｗの前面（外面）を面一に配置しても、小段差ＤＷを生ずる形態に配置しても良い。
耐力壁Ｗ０部（図１）は、図２（Ｂ）の如く、セメント板Ｐａ´と断熱層Ｐｂとを層着したパネルＰ０とコンクリート壁ＷＣ（図１）との一体化物であって、コンクリート壁ＷＣが強度を有しているが、セメント板Ｐａ´の条溝ａ２が通気機能を奏する。
【００１４】
また、帳壁Ｗ１部（図１）は、典型的には図２（Ａ）に示す特許第２９９９９８０号の外断熱複合パネルであり、アングル鋼材の上枠１０ｔ及び下枠１０ｂを用いて、上下コンクリート床スラブの前端に取付金物（図示せず）を介して強固に張設可能であり、上下枠１０ｔ，１０ｂ、及び内部に貫通孔ａ１を備えたセメント板Ｐａによって、外壁Ｗとしての必要機能を発揮し、貫通孔ａ１が外壁内の通気機能を発揮する。
そして、耐力壁Ｗ０部は、コストの比較的安い耐力壁複合パネルＰ０を、帳壁Ｗ１部は、コストの比較的高い帳壁複合パネルＰを採用するため、資材コストが合理化出来、帳壁Ｗ１部でのコンクリート壁ＷＣ省略による壁型枠工の合理化、及び使用するコンクリートや鉄筋量の合理化と相俟って、外断熱通気層型のコンクリート建築物の建築費が大幅に合理化出来る。
【００１５】
また、帳壁複合パネルＰのセメント板厚Ｔ１は耐力壁複合パネルＰ０のセメント板厚Ｔ１´より大であり、帳壁複合パネルＰと耐力壁複合パネルＰ０とは断熱層厚Ｔ２が同一であり、且つ、両複合パネルＰ，Ｐ０の断熱層Ｐｂを面一形態に配置するのが好ましい。
この場合、外壁Ｗの前面（外面）は、図１の如く、帳壁Ｗ１部に於いてセメント板Ｐａが寸法Ｔ１−Ｔ１´分だけ張出して、耐力壁Ｗ０部と帳壁Ｗ１部との境界では小段差（外壁段差）ＤＷを形成することとなるが、腰水切は段差継手６によって外壁面に沿った形態に支障なく配置出来る。
【００１６】
従って、断熱層Ｐｂの面一配置により外断熱構造の断熱施工が容易となり、帳壁Ｗ１部と耐力壁Ｗ０部とで外壁を形成する建築費の合理化と相俟って、外断熱通気層型コンクリート建築物が合理的に提供可能となる。
しかも、外壁面での使用パネル厚による小段差ＤＷの張出し壁Ｗは、外観上、耐力壁パネルＰ０と帳壁パネルＰで構成した新規な建築物としての識別機能を奏し、機能美を現出することとなる。
【００１７】
また、腰水切の配置は、耐力壁Ｗ０部及び帳壁Ｗ１部に亘って、腰水切２，２´の突出長ｄ３が同一であり、立下り板２Ｆ，２´Ｆの高さｈ１が同一であるのが好ましい。
図１に示す如く、耐力壁Ｗ０部に薄手の耐力壁パネルＰ０を用い、帳壁Ｗ１部に厚手の帳壁パネルＰを用いれば、帳壁Ｗ１部が小段差ＤＷで張出した形態となり、基礎１は面一であるが、腰水切２，２´が外壁Ｗ全長に亘って同一形態で突出することにより、外観が優れているのみならず、小段差で配置した耐力壁Ｗ０部と帳壁Ｗ１部が同一の通気機能を奏する機能美も発揮し、帳壁パネルＰ及び耐力壁パネルＰ０を併用してトータルデザイン化した高性能な外断熱通気層型建築物としての識別機能を奏し、機能美を発揮する。
【００１８】
また、腰水切の配置に関しては、耐力壁複合パネルＰ０の下端では、図６（Ｂ）の如く、アングル形態の取付板１０の水平上片１０Ｕをセメント板Ｐａ´先端に止着し、取付板１０の垂直片１０Ｂの上部には腰水切２の立上り板２Ｂを止着し、垂直片１０Ｂの下部には腰水切の底板２Ｄの後端を係止し、帳壁パネルＰの下端では、図６（Ｃ）の如く、セメント板Ｐａの前面板状部Ｃ１にアングル形態の取付片１１を止着し、仕切部Ｃ４と引続く後面板状部Ｃ２に亘ってアングル形態の取付板１０の水平上片１０Ｕを止着し、腰水切の立上り板２´Ｂを取付片１１の垂直片１１Ｂに、底板２´Ｄの後端を取付板１０の垂直片１０Ｂの下部に係止するのが好ましい。
【００１９】
この場合、耐力壁複合パネルＰ０の下端は、図６（Ｂ）に示す如く、細幅の腰水切２を１個の取付板１０のみで止着し、帳壁複合パネルＰの下端は、図６（Ｃ）に示す如く、広幅の腰水切２´を立上り板２´Ｂ止着用の取付片１１と底板２´Ｄ後端係止用の取付板１０の２部材で取付けることとなるが、取付板１０は、細幅腰水切、即ち耐力壁パネルＰ０用腰水切２と、広幅腰水切、即ち帳壁パネルＰ用腰水切２´の共用物であるため、取付板１０と、取付板１０の略半数の取付片１１とを準備しておけば良く、取付板１０も取付片１１も、共にセメント板下面に水平上片１０Ｕ，１１Ｕを当接して前後調整の下に固定可能であり、耐力壁パネルＰ０用腰水切（細幅腰水切）２も帳壁パネルＰ用腰水切（広幅腰水切）２´も、共に取付板１０及び取付片１１の前後位置調整と、立上り板２Ｂ及び２´Ｂの垂直片１０Ｂ及び１１Ｂの上下位置調整とによって均斉に配置可能である。
【００２０】
また、取付板１０は、水平上片１０Ｕの長孔Ｈ１０を介して複合パネルＰ，Ｐ０のセメント板Ｐａ，Ｐａ´下端にネジ固定すると共に、垂直片１０Ｂ後面下部を基礎モルタル１ａ上の取付下地材１ｆに固定するのが好ましい。
この場合、取付下地材１ｆは、構造用木材片でも、プラスチック材でも良く、基礎コンクリート１の外周に貼り付けた基礎断熱材１ｂに内側面が接着固定出来、且つ、外側面が取付板垂直片１０Ｂと接着又はネジ固定可能な下地材であれば良い。
そして、取付板１０は、水平上片１０Ｕが長孔Ｈ１０を有することにより、取付板１０の前後調整位置でセメント板Ｐａ，Ｐａ´の下面の板状部Ｃ２，Ｃ３へのネジ固定が可能となり、垂直片１０Ｂ下端の取付下地材１ｆへの固定と相俟って、取付板１０が所望位置で強固に保持出来、腰水切の所定位置での強固な保持が達成出来る。
【００２１】
また、外壁Ｗの小段差ＤＷ部で腰水切２，２´を連結する段差継手６は、図５に示す如く、平面視段差形態に、突出側（ＳＲ側）傾斜片６Ｕ、入り込み側（ＳＬ側）傾斜片６Ｕ”及び継ぎ部傾斜片６Ｕ´から成る連設傾斜片と、前部立下り片６Ｆと、段差小口閉塞用の側部立下り片６Ｆ´とを備え、図６（Ａ）に示す如く、外壁Ｗの突出側（ＳＲ側）からは、腰水切２´の傾斜天板２´Ｕを傾斜片６Ｕの下面に、立下り板２´Ｆを前部立下り片６Ｆの内面に挿入し、入り込み側（ＳＬ側）からは、腰水切２の傾斜天板２Ｕを傾斜片６Ｕ”の下面に、立下り板２Ｆを側部立下り片６Ｆ´の後端縁ＶＥの内側に挿入する構造が好ましい。
【００２２】
従って、段差継手６の継ぎ部傾斜片６Ｕ´及び側部立下り片６Ｆ´を所望段差ＤＷに応じて寸法設定することにより、どのような小段差ＤＷにも対処出来、しかも、両側からの腰水切２，２´の端部に、継手６の薄い板材（標準：２mm厚）が単に重なった形態に連結するため、薄手のセメント板Ｐａ´を備えた耐力壁複合パネルＰ０と厚手のセメント板Ｐａを備えた帳壁複合パネルＰとを各断熱層Ｐｂを面一に配置した外壁Ｗ（図１）にあって、外壁下端の帳壁パネルＰ側の広幅の腰水切２´と耐力壁パネルＰ０側の細幅の腰水切２とは、あたかも１本の屈曲形態の腰水切を配置した如く、きれいに連結出来る。
【００２３】
本発明に好適に採用出来る腰水切金具は、例えば図４に示す如く、腰水切２と、取付板１０とを含み、腰水切２は、垂直の立上り板２Ｂと、立上り板下端から前方への傾斜天板２Ｕと、前端の垂直の立下り板２Ｆと、立下り板２Ｆの下部から後方へ、略立上り板２Ｂの下方位置まで延出した底板２Ｄとを備え、且つ、底板２Ｄ後端には起立するアンカー片２Ａを有すると共に、底板２Ｄの適所に空気孔Ｈ２を穿孔したものであり、取付板１０は、アングル形態であって、取付孔Ｈ１０を備えた水平上片１０Ｕと垂直片１０Ｂとから成り、垂直片１０Ｂの下端には前方への突片１０Ｄを、突片１０Ｄの上部には、前方へ屈曲突出する溝突片１０Ｆを備え、突片１０Ｄと溝突片１０Ｆとで腰水切２のアンカー片２Ａを係止する係合溝１０Ｇを有するものである。
【００２４】
従って、図６（Ｂ）に示す如く、取付板１０の水平上片１０Ｕを、断熱複合パネルＰ０のセメント板Ｐａ´の下端面に当接し、セメント板Ｐａ´の板状部Ｃ３（図２（Ｂ））へ取付孔（典型的には長孔）Ｈ１０から前後位置調整の下にネジ固定（図示せず）することにより、取付板１０はセメント板Ｐａ´の下端面に適宜間隔（標準：６０cm間隔）で強固に止着出来る。
また、取付板１０の垂直片１０Ｂ下部は、基礎モルタル１ａ上に載置した形態で基礎断熱材１ｂに固着した取付下地材１ｆに接着又はネジ止着により強固に止着出来る。
そして、長尺物の腰水切２は、底板２Ｄのアンカー片２Ａを取付板１０の係合溝１０Ｇに嵌合係止して立上り板２Ｂを取付板１０の垂直片１０Ｂに当接し、微少な位置調整の下にネジ固定（図示せず）することにより、２点支持で外壁パネルＰ０に強固に支持された取付板１０に対し、立上り板２Ｂと底板２Ｄとの２点支持により強固に保持出来る。
【００２５】
また、広幅腰水切２´に好適な腰水切金具は、例えば図４に示す如く、腰水切２´と、取付板１０と、取付片１１とを含み、腰水切２´は、垂直の立上り板２´Ｂと、立上り板下端から前方への傾斜天板２´Ｕと、前端の垂直の立下り板２´Ｆと、立下り板２´Ｆの下部から後方へ、立上り板２´Ｂの下方位置を越えて後方に延出する底板２´Ｄとを備え、且つ、底板２´Ｄ後端には起立するアンカー片２´Ａを有すると共に、底板２´Ｄの適所に空気孔Ｈ２を穿設したものであり、取付板１０は、アングル形態であって、取付孔Ｈ１０を備えた水平上片１０Ｕと垂直片１０Ｂとから成り、垂直片１０Ｂの下端には前方への突片１０Ｄを、突片１０Ｄの上部には前方へ屈曲突出する溝突片１０Ｆを備え、突片１０Ｄと溝突片１０Ｆとで腰水切２´のアンカー片２´Ａを係止する係合溝１０Ｇを有するものであり、取付片１１は、アングル形態であって、取付孔Ｈ１１を備えた水平上片１１Ｕと垂直片１１Ｂとを有するものである。
【００２６】
尚、この場合、取付板１０の水平上片の取付孔Ｈ１０及び取付片１１の水平上片の取付孔Ｈ１１は、典型的には、図４に示す如き前後方向の長孔である。
従って、図６（Ｃ）に示す如く、取付片１１は、水平上片１１Ｕを断熱複合パネルＰのセメント板Ｐａの下端面適所に当接し、セメント板Ｐａの前部板状部Ｃ１（図２（Ａ））へ孔Ｈ１１を介してネジ固定（図示せず）で強固に止着出来る。
また取付板１０は、取付片１１の止着位置に整合して水平上片１０Ｕを、セメント板Ｐａの仕切部Ｃ４から後部板状部Ｃ２に亘る下端面に当接して、長孔Ｈ１０から前後位置調整の下に、後部板状部Ｃ２にネジ固定で強固に止着出来、垂直片１０Ｂ下部を、基礎モルタル１ａ上に載置形体で基礎断熱材１ｂに接着した取付下地材１ｆに接着又はネジ固定により強固に止着出来る。
そして、長尺物の広幅腰水切２´は、底板２´Ｄのアンカー片２´Ａを取付板１０の係合溝１０Ｇに嵌合係止して立上り板２´Ｂを取付片１１の垂直片１１Ｂにネジ固定（図示せず）することにより、取付片１１による立上り板２´Ｂの止着と、取付板１０による底板２´Ｄの係止による２点支持で強固に保持出来る。
【００２７】
【発明の実施の形態】
〔断熱複合パネル（図２）〕
図２（Ａ）は、帳壁複合パネルＰの一部切欠斜視図である。
即ち、帳壁複合パネルＰは、セメント板Ｐａ、断熱層Ｐｂ、石膏ボードＰｃの積層一体化物であり、セメント板Ｐａは、厚さＴ１が６０mm、外側板状部Ｃ１及び内側板状部Ｃ２が１３mm厚で、幅ａｗが３４mmの上下貫通孔ａ１を内部に並列配置した形態に、セメント、硅酸質原料及び繊維質原料を混合して押出成形し、オートクレーブ養生した押出成形セメント板である。
【００２８】
また、断熱層Ｐｂは、厚さＴ２が７５mmの硬質発泡ウレタンフォームであり、内表面に１２．５mm厚の石膏ボードＰｃを有している。
そして、上枠１０ｔ、下枠１０ｂ及び側枠１０ｓを備え、セメント板ＰａをＺクリップを介して上下枠１０ｔ，１０ｂに係止したものであり、標準パネルＰにあっては、６００mm幅のセメント板Ｐａの３枚を上枠１０ｔ及び下枠１０ｂに係止したパネル幅が１８００mmのものであり、典型的には、本出願人等の所有する特許第２９９９９８０号の外断熱複合パネルである。
【００２９】
図２（Ｂ）は、耐力壁複合パネルＰ０の一部切欠斜視図である。
即ち、耐力壁複合パネルＰ０は、セメント板Ｐａ´と断熱層Ｐｂの一体化積層品であり、従来の乾式密着型の外断熱複合パネルのタイプであって、セメント板Ｐａ´は板厚Ｔ１´が２５mmで、内面に深さが１３mmの多数の並設条溝ａ２を備えており、断熱層Ｐｂは厚さＴ２が７５mmで条溝ａ２をつぶさないように、セメント板Ｐａ´内面に積層一体化したものである。
尚、複合パネルＰ０は、コンクリート壁ＷＣの外型枠として用いるため、パネルＰ０の中央部には壁型枠組み用のセパレータ挿入孔を、両端部には皿ボルト挿入孔を穿設したものである。
【００３０】
〔腰水切金具（図４）〕
耐力壁パネルＰ０用の細幅の腰水切２は、図４（Ａ），（Ｂ）に示す如く、長尺物（標準：３６００mm）であって、断面形状は、１２mm高さ（ｈ３）の立上り板２Ｂと、幅ｄ１が３６mmで勾配高さ５mmの傾斜天板２Ｕと、２５mm高さ（ｈ１）の立下り板２Ｆと、立下り板２Ｆ下部の水切片２Ｃとして５mmの残した上方位置からは後方に３６mm（ｄ１）の底板２Ｄが延出し、底板２Ｄ後端から５mm高さのアンカー片２Ａを起立した形状であり、１．５mm厚のアルミ製押出成形品であり、底板２Ｄには５０mm間隔で空気孔Ｈ２を穿孔する。
【００３１】
また、帳壁パネルＰ用の広幅の腰水切２´も長尺物であり、細幅腰水切２同様に、１．５mm厚のアルミ製押出成形品であり、広幅腰水切２´は、図４（Ｃ），（Ｄ）に示す如く、立上り板２´Ｂ、傾斜天板２´Ｕ、立下り板２´Ｆ及び底板後端のアンカー片２´Ａが細幅の腰水切２（耐力壁パネル用腰水切）と同一であって、底板２´Ｄの延出長２ｄが細幅腰水切のそれより大であり、底板２´Ｄの後方延出長ｄ２は７１mmであり、細幅腰水切２の底板２Ｄよりも２´Ｌ（３５mm）だけ広幅となっている。
そして、底板２´Ｄには前後一対の空気孔Ｈ２を５０mm間隔で穿孔する。
【００３２】
取付板１０は、図４（Ｅ）に示す如く、２mm厚のアルミ製押出成形品であり、長さＸ１０が３０mm、高さＹ１０が４２mmの垂直片１０Ｂの上端に、幅ｄ４が１５mmの水平上片１０Ｕを備え、水平上片１０Ｕの中央には、幅４mm、長さ８mmの取付孔Ｈ１０を穿孔する。
また、垂直片１０Ｂの下方には、下端の突片１０Ｄとその上部の溝突片１０Ｆとで係合溝１０Ｇを形成している。
また、取付片１１は、長さＸ１１が３０mmで、１辺が１５mmの等辺山形形状の２mm厚アルミ製品であり、水平上片１１Ｕ中央に幅４mm、長さ８mmの取付孔Ｈ１１を穿設する。
【００３３】
〔段差継手（図５）〕
段差継手６は、図１に示す如く、帳壁Ｗ１部と耐力壁Ｗ０部との境界での外壁Ｗ面の小段差ＤＷに対処する部材であるため、右側（ＳＲ側）突出型と左側（ＳＬ側）突出型の２種類が必要であるが、両タイプは左右対称物であるため、ＳＲ側突出型に就いて説明する。
図５はＳＲ側（右側）突出型段差継手の図であって、（Ａ）は斜視図、（Ｂ）は（Ａ）の矢印（イ）視図（平面図）、（Ｃ）は（Ａ）の矢印（ロ）視側面図、（Ｄ）は（Ａ）の矢印（ハ）視側面図である。
段差継手６は、図５に示す如く、各板状部の一体化物であり、一般厚１mmの６ナイロン製である。
【００３４】
即ち、広幅腰水切２´側（ＳＲ側）には、表面に傾斜片６Ｕと前部立下り片６Ｆとを配し、内面に挿入溝６Ｇを介して傾斜ガイド片６Ｍと立下りガイド片６Ｍ´とを配し、細幅腰水切２側（ＳＬ側）には、段差ＤＷを保って、表面に傾斜片６Ｕ”を配し、内面に傾斜ガイド片６Ｍと立下りガイド片６Ｍ´とを配し、段差ＤＷの継ぎ部分には傾斜片６Ｕと６Ｕ”を連結する中間傾斜片６Ｕ´を配し、傾斜片６Ｕ´先端から小口閉塞用の側部立下り片６Ｆ´を、且つ側部立下り片６Ｆ´の後端縁ＶＥには、ＳＬ側立下りガイド片６Ｍ´表面との間に挿入溝６Ｇを配した形態である。
【００３５】
また、図５（Ｃ），（Ｄ）で明らかな如く、ＳＲ側の立下りガイド片６Ｍ´にも、ＳＬ側の立下りガイド片６Ｍ´にも、下部にはスリット６Ｇ´があり、各腰水切２´，２端部をＳＲ側及びＳＬ側から挿入する際に各スリット６Ｇ´が各底板２´Ｄ及び２Ｄの挿通を可能とし、継手６内へ腰水切２´，２を挿入する際のストッパーの役割を果す垂直の補強仕切片６Ｐが各板材を一体化保持し、且つ、ＳＲ側後端及びＳＬ側後端の立上り片６Ｂが立上りガイド片６Ｂ´と共に、各腰水切立上り板２´Ｂ，２Ｂを嵌入するための挿入溝６Ｇを構成している。
【００３６】
そして、寸法関係は、ＳＲ側からの広幅腰水切２´の、立上り板２´Ｂは６Ｂ，６Ｂ´間の挿入溝６Ｇに、傾斜天板２´Ｕは傾斜片６Ｕと傾斜ガイド片６Ｍとの間の挿入溝６Ｇに、立下り板２´Ｆは前部立下り片６Ｆと立下りガイド片６Ｍ´との間の挿入溝６Ｇに、底板２´Ｄはガイド突片６Ｆ”と立下りガイド片６Ｍ´との間のスリット６Ｇ´で嵌入可能の寸法とする。
また、ＳＬ側からの細幅腰水切２の、立上り板２Ｂは６Ｂ，６Ｂ´間の挿入溝６Ｇに、傾斜天板２Ｕは傾斜片６Ｕ”と傾斜ガイド片６Ｍとの間のガイド溝６Ｇに、立下り板２Ｆは側部立下り片６Ｆ´の後端縁ＶＥと立下りガイド片６Ｍ´との間の挿入溝６Ｇに、底板２Ｄはガイド突片６Ｆ”とガイド片６Ｍ´との間のスリット６Ｇ´で嵌入可能の寸法とする。
そして傾斜ガイド片６Ｍ及び立下りガイド片６Ｍ´は、それぞれガイド用に１０mm突出させる。
【００３７】
〔外壁Ｗの形成（図１、図２、図３）〕
図１に示す如く、鉄筋コンクリート造外断熱建築物を、本出願人が開発し、先に特願２００１−１８８１４７号として提案した、鉄筋コンクリート造壁式構造の外断熱建築物に於ける外壁形成方法により構築する。
即ち、建築構造上の必要壁量をコンクリート壁ＷＣと耐力壁用の断熱複合パネルＰ０の一体化した耐力壁Ｗ０部とし、窓５等の開口部が存在し、耐力壁に算入出来ない耐力壁Ｗ０間の広い領域（非耐力壁部）を断熱複合パネルＰのみの帳壁Ｗ１とする。
【００３８】
耐力壁Ｗ０部には、図２（Ｂ）に示す耐力壁複合パネルＰ０をコンクリート壁外型枠に採用し、図示しない慣用のセパレータ、ＫＰコン、軸足、フォームタイ、リブ座金、ナット、Ｐコン、縦端太パイプ、横端太パイプを用いて壁型枠を床スラブ型枠と同時に型組みし、帳壁Ｗ１部には、図２（Ａ）に示す帳壁複合パネルＰを、帳壁パネルＰの断熱層Ｐｂが耐力壁パネルＰ０の断熱層Ｐｂと面一形態となるように、下枠１０ｂを下階の固化した床スラブに付設した取付金物（図示せず）に固定し、上枠１０ｔを上階床スラブ型枠内に配設した取付金物（図示せず）に係合する。
【００３９】
次いで、床スラブ型枠及び壁型枠内にコンクリート打設し、耐力壁Ｗ０部と帳壁Ｗ１部の混在する鉄筋コンクリート造外壁Ｗを構築する。
各階を遂次構築するに際し、パネルＰ，Ｐ０それぞれの上下連結は、条溝ａ２及び貫通孔ａ１が上下に連通形態に実施する。
得られる外壁Ｗは、図３に示す如く、耐力壁Ｗ０部のパネルＰ０と帳壁Ｗ１部のパネルＰとは、断熱層Ｐｂが同厚であって、且つ面一（直線）形態に揃うため、外壁表面では、帳壁Ｗ１部が耐力壁Ｗ０部よりセメント板厚の差３５mm（セメント板Ｐａ厚Ｔ１が６０mmであり、セメント板Ｐａ´厚Ｔ１´が２５mm）だけ張出し、耐力壁Ｗ０部と帳壁Ｗ１部との境界では外壁Ｗ面に３５mmの小段差ＤＷ（図３）を生じるが、耐力壁Ｗ０部も帳壁Ｗ１部も、共に、最下端から最上端まで、条溝ａ２及び貫通孔ａ１で通気する外壁Ｗとなる。
【００４０】
〔腰水切の配置（図６）〕
図６（Ａ），（Ｂ）に示す如く、外壁Ｗの基礎コンクリート１は面一であり、基礎コンクリート１の外周に貼設した基礎断熱材１ｂも面一形態であり、耐力壁複合パネルＰ０及び帳壁複合パネルＰ共、各断熱層Ｐｂを基礎断熱材１ｂ上に揃えて配置する。
そして、外壁表面では、耐力壁パネルＰ０のセメント板Ｐａ´の厚さＴ１´（２５mm）が小で、帳壁パネルＰのセメント板Ｐａの厚さＴ１（６０mm）が大であるため、耐力壁Ｗ０部には細幅腰水切２を、帳壁Ｗ１部には広幅腰水切２´を配置する。
【００４１】
即ち、図６（Ｂ）に示す如く、６０cm程度の間隔で耐力壁パネルＰ０のセメント板Ｐａの下端面に、図４（Ｅ）に示す取付板１０の水平上片１０Ｕを当接し、前後位置調整用の長孔Ｈ１０を介して水平上片１０Ｕを板状部Ｃ３（図２）にネジ固定し、取付板１０の垂直片１０Ｂ下部後面を、基礎断熱材１ｂに貼着固定した取付下地材（木板）１ｆに接着又はネジ止めする。
そして、腰水切２の底板２Ｄ後端のアンカー片２Ａを取付板１０の下端の係合溝１０Ｇ（図４（Ｅ））に係合すると共に、腰水切２の立上り板２Ｂを取付板１０の垂直片上部に上下位置調整してネジ固定（図示せず）する。
【００４２】
また、図６（Ｃ）に示す如く、帳壁Ｗ１部にあっては、６０cm程度の間隔で、帳壁パネルＰのセメント板Ｐａの下端面の前部板状部Ｃ１（図２）に取付片１１（図４（Ｆ））の水平上片１１Ｕを長孔Ｈ１１を介してネジ固定し、取付片１１の固定位置に対応して取付板１０の水平上片１０Ｕをセメント板Ｐａの後部板状部Ｃ２と仕切部Ｃ４（図４）とに亘って当接し、長孔Ｈ１０を介して前後位置調整の下にネジ固定すると共に、取付板１０の垂直片１０Ｂ下部後面を、基礎断熱材１ｂに貼着固定した取付下地材１ｆに接着又はネジ止めする。
そして、腰水切２´の底板２´Ｄ後端のアンカー片２´Ａを取付板１０の係合溝１０Ｇ（図４（Ｅ））に係合すると共に、腰水切２´の立上り板２´Ｂを取付片１１の垂直片１１Ｂに当接して上下位置調整の下にネジ（図示せず）固定する。
【００４３】
〔腰水切小段差の処理（図５、図６）〕
図６（Ａ）は、ＳＲ側（右側）の帳壁複合パネルＰとＳＬ側（左側）の耐力壁複合パネルＰ０との接続部に生じた小段差ＤＷでの帳壁側の広幅腰水切２´と耐力壁側の細幅腰水切２とをＳＲ側突出型の段差継手６により接続した状態の斜視図である。
即ち、ＳＲ側突出型の段差継手６は、図５の如く、ＳＲ側（右側）の傾斜片６ＵがＳＬ側（左側）の傾斜片６Ｕ”より小段差ＤＷだけ前方に突出し、突出部の前面には前部立下り片６Ｆを、突出部のＳＬ側には側部立下り片６Ｆ´を備えた形状である。
【００４４】
該段差継手６は、小段差ＤＷ部に配置して、右側から広幅腰水切２´左端部を、立上り板２´Ｂが立上り片６Ｂと立上りガイド片６Ｂ´間の挿入溝６Ｇに、傾斜天板２´Ｕが傾斜片６Ｕと傾斜ガイド片６Ｍ間の挿入溝６Ｇに、立下り板２´Ｆが前部立下り片６Ｆと立下りガイド片６Ｍ´間の挿入溝６Ｇに、底板２´Ｄが立下りガイド片６Ｍ´下部のスリット６Ｇ´（図５（Ｄ））を通過して嵌合し、腰水切２´の挿入先端を仕切片６Ｐの停止面ＥＲに当接する。
【００４５】
また、同様にＳＬ側からは、細幅腰水切２の右端部を、立上り板２Ｂが立上り片６Ｂと立上りガイド片６Ｂ´間の挿入溝６Ｇに、傾斜天板２Ｕが傾斜片６Ｕ”と傾斜ガイド片６Ｍ間の挿入溝６Ｇに、立下り板２Ｆが側部立下り片６Ｆ´後端縁ＶＥと立下りガイド片６Ｍ´間の挿入溝６Ｇに、底板２Ｄが立下りガイド片６Ｍ´下部のスリット６Ｇ´を通過して嵌合し、腰水切２の挿入先端を仕切片６Ｐの停止面ＥＬに当接し、ＳＲ側突出小段差の処理は完了する。
また、外壁ＷのＳＬ側（左側）突出の小段差ＤＷに対しては、用意したＳＬ側突出の段差継手６（図示せず）を上記同様に用いて処理すれば良い。
この場合、段差継手６と少なくとも一方の腰水切挿入端部とを接着すれば、段差継手のガタツキが生じない。
【００４６】
〔後処理（図６）〕
外壁Ｗ下端の断熱複合パネルＰ，Ｐ０下面の広幅腰水切２´、細幅腰水切２及び段差継手６の取付けが完了すれば、図６（Ｂ），（Ｃ）に示す如く、腰水切底板２Ｄ，２´Ｄ下面に木製で断面正方形の目地棒（図示せず）を当接配置し、基礎断熱材１ｂ外面にモルタル１ａを塗布し、次いで目地棒を脱型除去して出来たスペースにシーリング１ｃを充填する。
また、腰水切の傾斜天板２Ｕ，２´Ｕ、及び段差継手の傾斜片６Ｕ，６Ｕ´，６Ｕ”と、断熱複合パネルＰ，Ｐ０のセメント板Ｐａ，Ｐａ´下端面との空間にシーリング１ｄを充填し、図６（Ａ）の如く、帳壁パネルのセメント板Ｐａ及び耐力壁パネルのセメント板Ｐａ´の延長形態で広幅腰水切２´、段差継手６及び細幅腰水切２上にシーリング１ｄ層を形成する。
【００４７】
〔効果〕
得られる鉄筋コンクリート造外断熱建物にあっては、外壁Ｗは、コンクリート造でありながら、耐力壁Ｗ０間に存在する建築構造上壁量に算入出来ない非耐力壁部を帳壁複合パネルＰのみの帳壁Ｗ１部とするため、外壁Ｗに於ける非耐力壁部（帳壁Ｗ１部）での壁型枠施工及びコンクリート打設が不要となり、鉄筋コンクリート造外断熱建築物の建築費が大幅に合理化出来る。
【００４８】
また、強度の要求されない耐力壁パネルＰ０として薄手の低コスト断熱複合パネルを用い、強度の必要な帳壁Ｗ１部に厚手の断熱複合パネルＰを、断熱層Ｐｂを揃えて面一に配置したため、外壁Ｗ全体を均斉な外断熱と出来、外壁全体に内部結露の防止、及び外装板（セメント板Ｐａ，Ｐａ´）のヒートストレス保護の通気層が形成出来、外壁Ｗの断熱複合パネルＰ，Ｐ０下端に強固、且つ均斉に配置した腰水切２，２´により通気層ａ１，ａ２の通気も保証出来、使用建築資材面からも合理化された、且つ、耐久性、及び衛生面（結露防止によるカビ発生抑制）からも優れた建物となる。
【００４９】
しかも、耐力壁Ｗ０部と帳壁Ｗ１部との境界に出来る外壁Ｗの小段差ＤＷにあっても、新規な段差継手６によって、腰水切２，２´が、外壁下端から外壁Ｗ面に沿って均斉に突出した形態に、且つ、隙間無く連続した形態に処理出来、腰水切２，２´の外観は、低建築費、且つ高耐久性の、衛生面からの住環境にも優れた高品質建築物としての品質感及び機能美を発揮する。
【００５０】
更に、腰水切２，２´の配置に際しても、新規な構造の耐力壁パネルＰ０用の細幅腰水切２と、帳壁パネルＰ用の広幅腰水切２´とを、共に取付部材１０，１１によって、取付位置調整の下に配置するため、断熱複合パネルＰ，Ｐ０のセメント板Ｐａ，Ｐａ´への取付作業が、基礎の不陸も吸収する形態で精度良く実施出来、取付作業が容易となると共に、２点支持（立上り板２Ｂ，２´Ｂと底板２Ｄ，２´Ｄ支持）により、強固、且つ、均斉な広幅、細幅両腰水切の取付配置が可能となる。
従って、高性能、且つ高耐久性の鉄筋コンクリート造外断熱建築物に於ける品質感及び機能美に富む外壁下部の通気構造の提供が可能となる。
【００５１】
〔その他〕
実施態様例（図４）では、細幅腰水切２は、取付板１０のみで、広幅腰水切２´は、取付部材として、取付板１０と別体の取付片１１とを併用するタイプとしたが、取付板１０として、耐力壁パネルＰ０の薄手のセメント板Ｐａ´に対応させた細幅腰水切２用のもの（図２（Ｅ）のもの）と、取付板１０の水平上片１０Ｕを延長して帳壁パネルＰの厚手のセメント板Ｐａに対応させた（図６（Ｃ）に於いて水平上片１０Ｕと取付片１１の水平上片１１Ｕとを一体化）広幅腰水切２´用のものとの２種類を併用することも可能である。
また、段差継手６には、垂直の各補強仕切片６Ｐを挿入腰水切２，２´の底板２Ｄ，２´Ｄと同一レベルの底板（図示せず）で一体化すれば、段差継手６の強度増大と共に、必要に応じて腰水切２，２´同様に外壁Ｗ下部への取付けも可能となり、しかも、段差継手６下面からの余計な雨水の浸入も抑制出来る。
【００５２】
また、実施態様例（図１）では、厚さの異なる耐力壁パネルＰ０と帳壁パネルＰを併用した外壁Ｗに２種の腰水切２，２´を適用したが、外壁Ｗを、耐力壁Ｗ０も、耐力壁と計算出来ない非耐力壁部も共に、１種の薄手の断熱複合パネルＰ０とコンクリート壁ＷＣとからなる外壁Ｗとし、取付板１０で外壁Ｗ下端のパネルセメント板Ｐａ´に腰水切２を配置しても、腰水切２を基礎の不陸を吸収する形態で正確に、且つ、２点支持で強固に配置出来、外壁Ｗを通気層ａ２の通気を保証する外壁下部の通気構造が得られる。
勿論、この場合は、新規構造の段差継手６は不要となり、長尺腰水切２の配置は、従来の継手、出隅、入隅を腰水切２の形状に適合するように設計変更して採用すれば良い。
【００５３】
【発明の効果】
本発明の外壁下部の通気構造にあっては、腰水切２，２´は、立上り板２Ｂ，２´Ｂと底板２Ｄ，２´Ｄの２点で確保するため、腰水切２，２´の強固、且つ、位置精度の高い配置が可能となる。
しかも、腰水切２，２´を確保する取付部材１０，１１は、複合パネルＰ，Ｐ０のセメント板Ｐａ，Ｐａ´の下面に固定するため、前後位置調整が容易であり、腰水切立上り板２Ｂ，２´Ｂの取付部材１０，１１への固定は、上下位置調整が容易であり、腰水切２，２´は、前後、上下位置調整の下に、適正位置に容易に、且つ、外観良く配置出来る。
【００５４】
従って、鉄筋又は鉄骨コンクリート造外断熱建築物でありながら、強固、且つ、均斉配置の腰水切を備え、外壁内を腰水切から断熱複合パネルＰ，Ｐ０の通気層ａ１，ａ２を上方へと空気流ｆの貫通する、しかも、腰水切の傾斜天板２Ｕ，２´Ｕ上からも、底板２Ｄ，２´Ｄ下面からも外壁Ｗ内に雨水の浸入しない通気構造が得られ、外壁Ｗの内部結露と外装材（セメント板Ｐａ，Ｐａ´）のヒートストレスによる劣下を抑制した外断熱建築物を提供する。
【００５５】
また、腰水切２，２´を段差継手６を用いて段差形態で接続することにより、外壁Ｗに採用する断熱複合パネルＰ，Ｐ０として厚さの異なる種類のパネルを採用する場合、或いは断熱複合パネルを小段差ＤＷを有する形態に配置する場合にも、腰水切２，２´は、強固、且つ、均斉な外観の下に外壁Ｗの小段差がきれいに処理出来、高品質感に富む外壁外観を提供する。
【００５６】
また、外壁Ｗは、断熱複合パネルＰ０とコンクリート壁ＷＣとの一体化した耐力壁Ｗ０部と、断熱複合パネＰのみの帳壁Ｗ１部で形成するため、鉄筋又は鉄骨コンクリート造外断熱建築物が、帳壁Ｗ１部での壁型枠工の省略合理化、及び使用コンクリート量の合理化により、建築費の大幅な合理化の下に提供可能となる。
【図面の簡単な説明】
【図１】  本発明を適用した外壁Ｗの説明用斜視図である。
【図２】  本発明に用いる断熱複合パネルの説明用斜視図であって、（Ａ）は帳壁複合パネルＰを、（Ｂ）は耐力壁複合パネルＰ０を表わす図である。
【図３】  本発明の帳壁複合パネルＰと耐力壁複合パネルＰ０との接続状態の斜視図である。
【図４】  本発明に用いる腰水切金具の説明図であって、（Ａ）は細幅腰水切２の斜視図、（Ｂ）は（Ａ）のＢ−Ｂ線断面図、（Ｃ）は広幅腰水切２´の斜視図、（Ｄ）は（Ｃ）のＤ−Ｄ線断面図、（Ｅ）は取付板１０の斜視図、（Ｆ）は取付片１１の斜視図である。
【図５】  本発明に用いる段差継手の説明図であって、（Ａ）は全体斜視図、（Ｂ）は（Ａ）の矢印（イ）方向平面図、（Ｃ）は（Ａ）の矢印（ロ）方向側面図、（Ｄ）は（Ａ）の矢印（ハ）方向側面図である。
【図６】  本発明の実施状態説明図であって、（Ａ）は外壁小段差ＤＷ部での腰水切接続状態斜視図、（Ｂ）は（Ａ）のＢ−Ｂ線断面図、（Ｃ）は（Ａ）のＣ−Ｃ線断面図である。
【図７】  従来例１の説明図であって、（Ａ）は縦断側面図、（Ｂ）は（Ａ）のＢ部拡大図である。
【図８】  従来例２の説明図であって、（Ａ）は縦断側面図、（Ｂ）は外壁段差部での腰水切接続状態を示す一部切欠平面図である。
【符号の説明】
１：基礎、                            １ａ：モルタル（基礎モルタル）、
１ｂ：断熱材（基礎断熱材）、          １ｃ，１ｄ：シーリング、
１ｆ：取付下地材（木板）、
２：腰水切（細幅腰水切）、              ２´：腰水切（広幅腰水切）、
２Ａ，２´Ａ：アンカー片、            ２Ｂ，２´Ｂ：立上り板、
２Ｄ，２´Ｄ：底板、                  ２Ｆ，２´Ｆ：立下り板、
２Ｕ，２´Ｕ：傾斜天板、              ３：笠木、
４：屋上、              ５：窓、            ６：段差継手、
６Ｂ：立上り片、                        ６Ｂ´：立上りガイド片、
６Ｆ：前部立下り片、                    ６Ｆ´：側部立下り片、
６Ｇ：挿入溝、                          ６Ｇ´：スリット、
６Ｍ：傾斜ガイド片、                    ６Ｍ´：立下りガイド片、
６Ｐ：補強仕切片、                      ６Ｕ，６Ｕ´，６Ｕ”：傾斜片、
１０：取付板（取付部材）、              １０Ｂ，１１Ｂ：垂直片、
ＤＷ：外壁段差（段差、小段差）、
１０Ｄ：突片、                          １０Ｆ：溝突片、
１０Ｇ：係合溝、                        １０Ｕ，１１Ｕ：水平上片、
１１：取付片（取付部材）、
ａ１：貫通孔（通気層）、                  ａ２：条溝（通気層）、
Ｂｅ，Ｂｅ´：パネル下端面、            Ｂｔ，Ｂｔ´：パネル上端面、
Ｃ１，Ｃ２，Ｃ３：板状部、              Ｃ４，Ｃ５：仕切部、
１０ｔ：上枠、          １０ｂ：下枠、    １０ｓ：側枠、
Ｐ：帳壁複合パネル（断熱複合パネル）、
Ｐ０：耐力壁複合パネル（断熱複合パネル）、
Ｐａ，Ｐａ´：セメント板、              Ｐｂ：断熱層、
Ｐｃ：石膏ボード、                      ＶＥ：後端縁、
Ｗ：外壁、                                Ｗ０：耐力壁、
Ｗ１：帳壁、                              ＷＣ：コンクリート壁、
Ｈ２：空気孔、                            Ｈ１０，Ｈ１１：取付孔
【図１】
0003664699.tif 000002
【図２】
0003664699.tif 000003
【図３】
0003664699.tif 000004
【図４】
0003664699.tif 000005
【図５】
0003664699.tif 000006
【図６】
0003664699.tif 000007
【図７】
0003664699.tif 000008
【図８】
0003664699.tif 000009